(57)【要約】【課題】極めて簡単な構造で指詰めを防止しながら、建物の開口部を広く開く。【解決手段】引き戸は、戸先側に取っ手２を設けている。取っ手２は、引き戸１の表面に指先の挿入凹部４を有する。挿入凹部４は、引き戸１を閉める閉め部４Ａと、引き戸１を開く開き部４Ｂとに分割している。閉め部４Ａは、引き戸１の戸先側に、指先を引っ掛けて引き戸１を閉める閉め側立ち上がり部５を有し、開き部４Ｂは、引き戸１の戸先側に、挿入凹部４に入れた指先を通過できる指先通過隙間８を有すると共に、戸先側と反対側の開き側には、指先を引っ掛けて引き戸１を開く開き側立ち上がり部６を有する。引き戸は、挿入凹部４の閉め部４Ａに指先を入れて、閉め部４Ａに設けた閉め側立ち上がり部５に指先を引っ掛けて引き戸１が閉め、挿入凹部４の開き部４Ｂに指先を入れて、開き部４Ｂに設けた開き側立ち上がり部６に指先を引っ掛けて引き戸１を開く。【選択図】図５
2013023924.tif 000002
【特許請求の範囲】
【請求項１】
戸先側に取っ手(2)を設けている引き戸であって、
前記取っ手(2)が、引き戸(1)の表面から凹んでいる指先の挿入凹部(4)を有し、この挿入凹部(4)が引き戸(1)を閉める閉め部(4A)と、引き戸(1)を開く開き部(4B)とに分割され、
前記閉め部(4A)は、引き戸(1)の戸先側に、挿入凹部(4)に入れた指先を引っ掛けて引き戸(1)を閉める閉め側立ち上がり部(5)を有し、
前記開き部(4B)は、引き戸(1)の戸先側に、挿入凹部(4)に入れた指先を通過できる指先通過隙間(8)を有し、かつ、戸先側の反対側の開き側には、挿入凹部(4)に入れて指先を引っ掛けて引き戸(1)を開くことができる開き側立ち上がり部(6)を有し、
前記挿入凹部(4)の閉め部(4A)に指先を入れて、閉め部(4A)に設けた閉め側立ち上がり部(5)に指先を引っ掛けて引き戸(1)が閉められ、
前記挿入凹部(4)の開き部(4B)に指先を入れて、開き部(4B)に設けた開き側立ち上がり部(6)に指先を引っ掛けて引き戸(1)を開くようにしてなる指詰め防止構造の取っ手を有する引き戸。
【請求項２】
前記取っ手(2)が引き戸(1)の両面に設けられてなることを特徴とする請求項１に記載される指詰め防止構造の取っ手を有する引き戸。
【請求項３】
前記引き戸(1)が戸袋(3A)に出し入れされる引き戸である請求項１又は２に記載される指詰め防止構造の取っ手を有する引き戸。
【請求項４】
前記挿入凹部(4)の閉め部(4A)が、引き戸(1)の戸先側の反対側に、底部から引き戸(1)の表面に向かって上り勾配に傾斜する指先のスリップ面(7)を有する請求項１ないし３のいずれかに記載される指詰め防止構造の取っ手を有する引き戸。
【請求項５】
前記挿入凹部(4)が、上側に閉め部(4A)を、下側に開き部(4B)を設けている請求項１ないし４のいずれかに記載される指詰め防止構造の取っ手を有する引き戸。
【請求項６】
前記開き部(4B)が、指先通過隙間(8)に突出するように、開き側立ち上がり部(6)よりも低い引出し凸部(9)を設けている請求項１ないし５のいずれかに記載される指詰め防止構造の取っ手を有する引き戸。
【発明の詳細な説明】
【技術分野】
【０００１】
本発明は、取っ手に指先を入れて引き戸を開くとき、引き戸と戸袋や壁パネルとの間で、また、引き戸と引き戸との間で指を詰めないようにしている指詰め防止構造の取っ手を有する引き戸に関する。
【背景技術】
【０００２】
図１の（ａ）（ｂ）は、取っ手９２に指先を入れて引き戸９１を戸袋９３Ａに入れて、建物の開口部９０を開く状態を示している。この図の（ｂ）で示すように、引き戸９１が完全に開かれる状態で、引き戸９１が戸袋９３Ａや壁等の壁パネル９３に接近するとき、引き戸９１と壁パネル９３との間で指先が挟まれて指詰めすることがある。
さらに、図２に示すように、片面が壁パネル９３に接近して開かれる引き戸９１や、図３に示すように、複数枚の引き戸９１が壁パネル９３に接近して開かれる構造にあっては、片面や両面の取っ手９２で指詰めすることがある。
【０００３】
この弊害を防止することを目的として、種々の構造の引き戸が開発されている。（特許文献１ないし４参照）
【先行技術文献】
【特許文献】
【０００４】
【特許文献１】特開平１０−１３１５５３号公報
【特許文献２】特開２００３−１９３７１１号公報
【特許文献３】特開２０１１−１２４３９号公報
【特許文献４】特開２００３−２３２１６５号公報
【発明の概要】
【発明が解決しようとする課題】
【０００５】
特許文献１の引き戸は、取っ手の上部に、引き戸の表面から突出するストッパを固定している。この引き戸は、引き戸を戸袋に入れて建物の開口部を開くとき、ストッパが戸袋の開口部に当たって引き戸の移動が停止される。このため、取っ手と戸袋の開口部とで指先を詰めることがない。
【０００６】
特許文献２〜４の引き戸は、引き戸の表面から突出するストッパを取っ手に設けており、引き戸を開くときに、このストッパが突出して戸袋の開口部に当たって指詰めを防止する。
【０００７】
これ等の公報に記載する引き戸は、取っ手のストッパを戸袋の開口部に当てて、引き戸の開き位置を制限して、取っ手に入れた指が挟まれるのを防止する。ストッパは、取っ手が戸袋の内側に収納されない位置で引き戸を停止させる。このため、引き戸を完全に開くことができず、建物の開口部の開口幅が狭くなる欠点がある。また、特許文献２〜４の取っ手は、複雑な構造でストッパを突出させるので、取っ手が高価になるばかりでなく、故障しやすい等の欠点もある。
【０００８】
本発明は、このような欠点を解決することを目的に開発されたものである。本発明の重要な目的は、極めて簡単な構造としながら、指詰めが防止でき、しかも建物の開口部を広く開くことができる指詰め防止構造の取っ手を有する引き戸を提供することにある。
【課題を解決するための手段及び発明の効果】
【０００９】
本発明の引き戸は、前述の目的を達成するために以下の構成を備える。
請求項１に記載される引き戸は、引き出しされる戸先側に取っ手２を設けている。取っ手２は、引き戸１の表面から凹んでいる指先の挿入凹部４を有している。この挿入凹部４は、引き戸１を閉める閉め部４Ａと、引き戸１を開く開き部４Ｂとに分割している。閉め部４Ａは、引き戸１の戸先側に、挿入凹部４に入れた指先を引っ掛けて引き戸１を閉める閉め側立ち上がり部５を有している。開き部４Ｂは、引き戸１の戸先側に、挿入凹部４に入れた指先を通過できる指先通過隙間８を有すると共に、戸先側と反対側の開き側には、挿入凹部４に入れて指先を引っ掛けて引き戸１を開くことができる開き側立ち上がり部６を有している。引き戸は、挿入凹部４の閉め部４Ａに指先を入れて、閉め部４Ａに設けた閉め側立ち上がり部５に指先を引っ掛けて引き戸１が閉め、挿入凹部４の開き部４Ｂに指先を入れて、開き部４Ｂに設けた開き側立ち上がり部６に指先を引っ掛けて引き戸１を開くようにしている。
【００１０】
以上の指詰め防止構造の取っ手を有する引き戸は、極めて簡単な構造としながら、指詰めが防止でき、しかも建物の開口部を広く開くことができる特徴がある。それは、以上の引き戸が、従来のように表面に突出するストッパを設けるのではなく、挿入凹部の開き部に指先を入れて開き側立ち上がり部を押して開くとき、指詰めする戸先側には指先通過隙間を設けているので、指先をこの指先通過隙間に通過させて指詰めすることがないからである。また、引き戸を閉じるときは、閉め部に設けている閉め側立ち上がり部を指先で押してスムーズに閉めることができるので、簡単に引き戸を閉めることもできる。したがって、以上の引き戸は、簡単に閉めたり開いたりできると共に、開くときには指詰めを確実に防止できる。
【００１１】
本発明の請求項２の指詰め防止構造の取っ手を有する引き戸は、取っ手２を引き戸１の両面に設けている。
以上の引き戸は、両面に設けている取っ手でもって、引き戸を両面から指詰めすることなく大きく開くことができる。
【００１２】
本発明の請求項３の指詰め防止構造の取っ手を有する引き戸は、戸袋３Ａに出し入れされる引き戸１としている。
以上の引き戸は、戸袋に指詰めすることなく大きく開いて出し入れできる。
【００１３】
本発明の請求項４の指詰め防止構造の取っ手を有する引き戸は、挿入凹部４の閉め部４Ａが、引き戸１の戸先側の反対側において、底部から引き戸１の表面に向かって上り勾配に傾斜する指先のスリップ面７を有している。
以上の引き戸は、閉め部の開き側にスリップ面を設けているので、ユーザーが閉め部に指先を入れて開くことがない。それは、指先でスリップ面を押して引き戸を開くとき、指先が滑ってスムーズに引き戸を開くことができないからである。したがって、この引き戸は、引き戸を開くときに、ユーザーが閉め部に指先を入れることなく、開き部に指先を入れて引き戸を開くので、より確実に指詰めを防止しながら開くことができる特徴がある。
【００１４】
本発明の請求項５の指詰め防止構造の取っ手を有する引き戸は、挿入凹部４が、上側に閉め部４Ａを、下側に開き部４Ｂを設けている。
以上の引き戸は、上側に閉め部を設けて、下側に開き部を設けているので、ユーザーは上側の閉め部に指先を入れて引き戸を楽に閉めることができ、また、開くときには、ユーザーが、下側の開き部に指先を入れて、指詰めすることなく引き戸を開くことができる。
【００１５】
本発明の請求項６の指詰め防止構造の取っ手を有する引き戸は、開き部４Ｂが、指先通過隙間８に突出するように、開き側立ち上がり部６よりも低い引出し凸部９を備えている。
この引き戸は、引き戸を完全に開いて戸袋に入れた状態で、引出し凸部に指先を引っ掛けて、滑らず引き戸を戸袋から引き出して閉めることができる。
【図面の簡単な説明】
【００１６】
【図１】従来の引き戸を開く状態を示す水平断面図である。
【図２】従来の他の引き戸を開く状態を示す水平断面図である。
【図３】従来の他の引き戸を開く状態を示す水平断面図である。
【図４】本発明の一実施例にかかる指詰め防止構造の取っ手を有する引き戸の正面図である。
【図５】図４に示す引き戸の取っ手部分を下側から見た拡大断面斜視図である。
【図６】図５に示す引き戸を開いて戸袋に収納した状態を示す断面斜視図である。
【図７】図５に示す引き戸の取っ手を反対側から見た拡大斜視図である。
【発明を実施するための形態】
【００１７】
以下、本発明の実施例を図面に基づいて説明する。ただし、以下に示す実施例は、本発明の技術思想を具体化するための指詰め防止構造の取っ手を有する引き戸を例示するものであって、本発明は引き戸を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図４ないし図７に示す引き戸１は、引き出される戸先側に取っ手２を固定している。この引き戸１は、取っ手２に指を入れて開閉される。図に示すように、建物の開口部を開く引き戸は、引き戸を開くときに、引き戸が戸袋に入れられ、あるいはその両面又は片面が壁や壁パネルに接近することがある。このように、戸袋や壁パネルに接近して開かれる引き戸は、建物の開口部を開いて戸袋や壁パネルに接近するとき、戸袋や壁パネルとの間で指詰めすることがある。また、図示しないが、複数枚の引き戸が壁パネルに接近して開かれる構造にあっては、引き戸を開くときに、引き戸と引き戸との間で指詰めすることがある。本発明の引き戸は、戸袋や壁や壁パネル、あるいは隣り合う引き戸に接近して指詰めしない独特の構造の取っ手を設けている。
【００１９】
図５と図６の引き戸１は、戸先側の両面に指詰めしない取っ手２を設けている。この引き戸１は、建物の開口部１０を開く状態で、両面を壁パネル３に接近させる状態で使用される。図示しないが、本発明の引き戸は、建物の開口部を開く状態で、片面のみを壁や壁パネル、あるいは隣り合う引き戸に接近する用途にも使用されるが、この引き戸は、指詰めしない取っ手を片面又は両面に設けることができる。
【００２０】
指詰めしない取っ手２は、図５ないし図７の斜視図に示すように、指先を入れて引き戸１を開閉できるように、引き戸１の表面から凹んでいる指先の挿入凹部４を設けている。この引き戸１は、両面に取っ手２を固定する切り欠きを設けて、この切り欠きに金属やプラスチックを成形している取っ手２を嵌着して固定している。引き戸１は、建物の開口部１０を完全に開くことでき、かつ、完全に開いた状態から引き戸１を引き出して建物の開口部１０を閉めることができるように、取っ手２を引き戸１の戸先側の側縁に設けている。
【００２１】
取っ手２は、挿入凹部４を、引き戸１を矢印Ａで示す方向に移動して建物の開口部１０を閉める閉め部４Ａと、引き戸１を矢印Ｂの方向に移動して建物の開口部１０を開く開き部４Ｂとに分割している。図の取っ手２は、挿入凹部４を、上下に分割して、閉め部４Ａと開き部４Ｂとを設けている。さらに、これ等の図の取っ手２は、挿入凹部４の上側に閉め部４Ａを、下側に開き部４Ｂを設けている。ただし、図示しないが、これとは反対に、上側に開き部を設けて、下側に閉め部を設けることもできる。また、図示しないが、閉め部と開き部とを、引き戸を開閉するために移動する方向に分割して設けることもできる。
【００２２】
引き戸１は、矢印Ａで示すように、建物の開口部１０を閉じる方向に移動させるときに指詰めすることはない。したがって、挿入凹部４の閉め部４Ａは、指先を引っ掛けて、引き戸１を矢印Ａの方向に移動させて確実に閉じることができるように、引き戸１の戸先側に、挿入凹部４に入れた指先を引っ掛けて引き戸１を閉める閉め側立ち上がり部５を設けている。閉め側立ち上がり部５は、閉め部４Ａの底面に対して垂直に立ち上がる面として、ユーザーがここに指先を引っ掛けてスムーズに引き戸１を閉じることができる。ただ、閉め側立ち上がり部は、底面に対して必ずしも垂直面とする必要はなく、ユーザーが指先を引っ掛けてスムーズに引き戸を閉じることができる角度とすることができる。
【００２３】
さらに、図の閉め部４Ａは、引き戸１の戸先側の反対側、すなわち閉め側立ち上がり部５の反対側を、閉め部４Ａの底面から引き戸１の表面に向かって上り勾配に傾斜する指先のスリップ面７を設けている。スリップ面７は、ユーザーがここに指先を引っ掛けて引き戸１を閉じることが難しいように、たとえば、引き戸１の表面に対する傾斜角（α）を約４５度としている。スリップ面７は、傾斜角（α）を小さくして、指先を滑りやすくできる。ただ、傾斜角（α）を小さくすると、横幅（Ｗ）が広くなって、閉め部４Ａを広くする必要があるので、好ましくは、スリップ面７の傾斜角（α）は、２０度ないし６０度とする。閉め部４Ａの開き側の側面にスリップ面７を設けている閉め部４Ａは、ユーザーがここに指先を当てて引き戸１を開くことがなく、指詰めをより確実に防止できる。
【００２４】
開き部４Ｂは、引き戸１を開くときに指先を通過させて指詰めしないように、引き戸１の戸先側に、挿入凹部４に入れた指先を通過できる指先通過隙間８を設けて、戸先側の反対側に位置する開き側には、挿入凹部４に入れて指先を引っ掛けて引き戸１を開くことができる開き側立ち上がり部６を設けている。すなわち、開き部４Ｂは、底面の開き側（図５において右側）には開き側立ち上がり部６を、閉じ側である戸先側（図５において左側）には指先通過隙間８を設けている。開き側立ち上がり部６は、底面に対して垂直な面として、ユーザーが指先を確実に引っ掛けて引き戸１を開くことができるようにしている。ただし、この開き側立ち上がり部も、必ずしも底面に対して垂直面とする必要はなく、ユーザーがここに指先を引っ掛けて引き戸をスムーズに開くことができる角度とすることができる。
【００２５】
開き部４Ｂの戸先側に設けている指先通過隙間８は、引き戸１を完全に開く位置に移動するときに、開き部４Ｂに入れた指をここを通過させて開き部４Ｂの外側に案内できるように、開き部４Ｂの底面とほぼ同一平面としている。開き部は、底面と同一面として指先通過隙間を設けることができるが、図７の開き部４Ｂは、指先通過隙間８に突出して、開き側立ち上がり部６よりも低い引出し凸部９を設けている。開き部４Ｂの戸先側に引出し凸部９を設けている引き戸１は、建物の開口部１０を完全に開いて、図６に示すように戸袋３Ａに完全に収納された引き戸１を、ユーザーがスムーズに戸袋３Ａから引き出すことができる。それは、指先通過隙間８に入れた指先を引出し凸部９に引っ掛けて、引き戸１を戸袋３Ａから引き出しできるからである。引出し凸部９は、突出高さを高くして、戸袋３Ａからよりスムーズに引き出しできる。ただ、引出し凸部９が高すぎると、引き戸１を戸袋３Ａに入れるときに、指先がここに引っ掛かって指詰めしやすくなる。したがって、引出し凸部９が開き部４Ｂの底面から突出する高さは、引き戸１を戸袋３Ａからスムーズに引き出しでき、かつ、引き戸１を戸袋３Ａに入れるときに指詰めしない高さ、たとえば、１ｍｍないし３ｍｍとする。
【符号の説明】
【００２６】
１…引き戸
２…取っ手
３…壁パネル                    ３Ａ…戸袋
４…挿入凹部                    ４Ａ…閉め部
４Ｂ…開き部
５…閉め側立ち上がり部
６…開き側立ち上がり部
７…スリップ面
８…指先通過隙間
９…引出し凸部
１０…開口部
９０…開口部
９１…引き戸
９２…取っ手
９３…壁パネル                  ９３Ａ…戸袋
【図１】
2013023924.tif 000003
【図２】
2013023924.tif 000004
【図３】
2013023924.tif 000005
【図４】
2013023924.tif 000006
【図５】
2013023924.tif 000007
【図６】
2013023924.tif 000008
【図７】
2013023924.tif 000009